(57)【要約】【課題】  筐体内部から交換ユニットを容易に取り外すことができて、交換ユニットの交換作業を容易なものにすることができるようにした遊技機を提供する。【解決手段】  脱着体(85)は、脱着体(85)を交換ユニット(2)に回転可能に軸支する軸支部(86)と、軸支部(86)の回りに回転可能であって、脱着体(85)の回転にともなって突出片(80)の前側を後方向へ押圧する圧接部(87)と、軸支部(86)の回りに圧接部(87)と一体となって回転するとともに遊技者が操作可能な操作部(88)とを備え、操作部(88)及び軸支部(86)間の距離を、圧接部(87)及び軸支部(86)間の距離よりも長く形成し、操作部(88)を、軸支部(86)の回りに回転移動させることで、交換ユニット(2)を前方向へ移動させて、その結果、筐体コネクター(70)及びユニットコネクター(75)の接続を解除することを特徴とする。【選択図】    図１
2005261605.tif 000002
【特許請求の範囲】
【請求項１】
正面側に開口する正面開口部を有する筐体と、
前記筐体の前記正面開口部を開閉自在に塞ぐための前扉と、
前記筐体の内部に交換可能に配置される交換ユニットとを備えた遊技機において、
前記筐体は、左右に立設する２枚の側板と、左右の前記側板の下端間に渡した底板と、左右の前記側板の上端間に渡した天板と、２枚の前記側板、前記底板及び前記天板による四角枠状の奥側の開口を塞ぐ裏板とを備え、
前記遊技機の正面の前に前記遊技機の方を向いて位置している遊技者から見た場合の前記遊技機の奥から手前への方向を前方向とし、かかる遊技者から見た場合の前記遊技機の手前から奥への方向を後方向と定義し、
前記筐体は、
前記裏板の前面に位置して、前記交換ユニットへ電気信号を出力するため、或いは、前記交換ユニットからの電気信号を入力するために前方向に臨む筐体コネクターと、
前記側板の前記正面開口部内の側面から前記筐体内方に向かって突出する突出片とを備え、
前記交換ユニットは、
前記交換ユニットを前記筐体内部に取り付けた状態のときに前記筐体コネクターと接合するユニットコネクターと、
前記交換ユニットを前記筐体内部に取り付けた状態のときに前記突出片と整合する位置に設けた脱着体とを備え、
前記脱着体は、
前記脱着体を前記交換ユニットに回転可能に軸支する軸支部と、
前記軸支部の回りに回転可能であって、前記脱着体の回転にともなって前記突出片の前側を後方向へ押圧する圧接部と、
前記軸支部の回りに前記圧接部と一体となって回転するとともに遊技者が操作可能な操作部とを備え、
前記操作部及び前記軸支部間の距離を、前記圧接部及び前記軸支部間の距離よりも長く形成し、
前記操作部を、前記軸支部の回りに回転移動させることで、前記圧接部が前記突出片の前側に当たり、更に前記操作部を回転移動させることで、前記交換ユニットを前方向へ移動させて、その結果、前記筐体コネクター及び前記ユニットコネクターの接続を解除することを特徴とする遊技機。
【請求項２】
正面側に開口する正面開口部を有する筐体と、
前記筐体の前記正面開口部を開閉自在に塞ぐための前扉と、
前記筐体の内部に交換可能に配置される交換ユニットとを備えた遊技機において、
前記筐体は、左右に立設する２枚の側板と、左右の前記側板の下端間に渡した底板と、左右の前記側板の上端間に渡した天板と、２枚の前記側板、前記底板及び前記天板による四角枠状の奥側の開口を塞ぐ裏板とを備え、
前記遊技機の正面の前に前記遊技機の方を向いて位置している遊技者から見た場合の前記遊技機の奥から手前への方向を前方向とし、かかる遊技者から見た場合の前記遊技機の手前から奥への方向を後方向と定義し、
前記交換ユニットは、
前記交換ユニットの後部に位置して、前記交換ユニットへの電気信号を入力するため、或いは、前記交換ユニットからの電気信号を出力するために後方向に臨むユニットコネクターと、
前記交換ユニットの側部から外方に向かって突出する突出片とを備え、
前記筐体は、
前記裏板の前面に位置して前記交換ユニットを前記筐体内部に取り付けた状態のときに前記ユニットコネクターと接合する筐体コネクターと、
前記側板の前記正面開口部内の側面に位置するとともに前記交換ユニットを前記筐体内部に取り付けた状態のときに前記突出片と整合する位置に設けた脱着体とを備え、
前記脱着体は、
前記脱着体を前記筐体に回転可能に軸支する軸支部と、
前記軸支部の回りに回転可能であって、前記脱着体の回転にともなって前記突出片の後側を前方向へ押圧する圧接部と、
前記軸支部の回りに前記圧接部と一体となって回転するとともに遊技者が操作可能な操作部とを備え、
前記操作部及び前記軸支部間の距離を、前記圧接部及び前記軸支部間の距離よりも長く形成し、
前記操作部を、前記軸支部の回りに回転移動させることで、前記圧接部が前記突出片の後側に当たり、更に前記操作部を回転移動させることで、前記交換ユニットを前方向へ移動させて、その結果、前記筐体コネクター及び前記ユニットコネクターの接続を解除することを特徴とする遊技機。
【請求項３】
前記脱着体は、前記脱着体の最大長さを有する方向に沿って、前記軸支部、前記圧接部及び前記操作部の順に配置されていることを特徴とする請求項１又は請求項２記載の遊技機。
【請求項４】
前記脱着体は、前記脱着体の最大長さを有する方向に沿って、前記圧接部、前記軸支部及び前記操作部の順に配置されていることを特徴とする請求項１又は請求項２記載の遊技機。
【発明の詳細な説明】
【技術分野】
【０００１】
この発明は、交換ユニットの交換作業が容易な遊技機に関するものである。
【背景技術】
【０００２】
従来、パチンコ機や、スロットマシン等の遊技機を設置している遊技ホールでは、顧客のニーズや他店との競合で優位に立つために、遊技機の製造開発メーカーが開発した斬新なゲーム性をもつ、パチンコ機や、スロットマシンに新台入れ替えと称して、数か月に一度、あるいは、それよりも短いサイクルで遊技内容が異なる遊技機に交換するのが通例となっており、最近では、このサイクルが更に短くなる傾向にある。
そして、従来の遊技機においては、かかる新台入れ替えで遊技内容を変更する際には、遊技機全体を略まるごと交換しなければならなかった。しかし、遊技ホールにおいて、遊技内容を変更するための新台入れ替えの台交換の際、遊技内容の変更に無関係な部品も多数、同時に交換されることとなり、交換に要する費用がかかるだけでなく、資源の無駄になっていた。
【０００３】
そこで、近年、遊技内容に直接、影響するリールユニット及びこのリールユニットの回転リールの回転駆動等を制御する主基板（主制御装置）を、前扉に固定して、前扉ごと一体に筐体から着脱自在に形成して、交換可能とする発明がなされている（例えば、特許文献１、図１及び図３参照。）。
さらに、リールユニット及び主基板（主制御装置）を固定した前扉に、ホッパー装置（メダル払出装置）や電源装置を固定して、前扉ごと一体に筐体から着脱自在に形成して交換可能にする発明がなされている（例えば、特許文献１、図４参照。）。
さらに、近年では、遊技機を、遊技性に関わる部分と、遊技性に直接関わらない部分とに分け、このうち遊技性に関わる部分を交換することにより、全体を略まるごと交換することなく、新しい遊技機で遊技しているかのような印象を与えることができる分離型の遊技機の開発が進められている。
【０００４】
具体的には、スロットマシンの交換に際して、真に交換が必要な部材である遊技担当装置を特定し、かつ交換の効率化をも図った発明がなされている（例えば、特許文献２。）。
また、枠体等の構造用部材に前記リールユニット及び主基板（主制御装置）を設置した交換ユニットを、筐体内部に着脱自在に形成して、新旧の交換作業を容易にしたスロットマシンに関する技術がある（例えば、特許文献３。）。
そして、上述したような、遊技ホールでの新台入れ替えの際、遊技内容を変更するために遊技機全体を交換するのではなく、遊技内容を変更可能な交換ユニット等の部品だけを交換する、いわゆる分離型の遊技機において、交換ユニットを、この交換ユニットを収納する筐体の開口上部にクリップを使用して固定するものがある（例えば、特許文献４、図１〜図１２。）。
【特許文献１】特開平１０−５２５２５号公報（第１図、第３図、第４図）
【特許文献２】特開２００３−２４５１３号公報
【特許文献３】特開２００３−４７６８６号公報
【特許文献４】特開２００３−２３６０３８号公報（第１図から第１２図）
【発明の開示】
【発明が解決しようとする課題】
【０００５】
上述したように遊技内容を変更可能な交換ユニット等の部品だけを交換する、いわゆる分離型の遊技機においては、交換ユニットからの電気的な接続をいわゆるハーネスと呼ばれる電気ケーブルを用いて、その電気ケーブルの先に設けたコネクターと、筐体側に設けたコネクターとを直接、交換作業者が手で掴んで、両者を接続することによる接続作業を行うことなく、交換ユニットの背面側に設けたコネクターと、筐体の内面奥側に設けたコネクターとを直接、一度に接続するものが検討されている。これにより、ハーネスと呼ばれる電気コードの長さを短くすることができて、筐体内部をすっきりとしたものにすることができる。また、接続作業ミスを回避することができて、効率的な交換作業を行うことができるものである。
【０００６】
しかし、かかる交換ユニットの背面側に設けたコネクターと、筐体の内面奥側に設けたコネクターとを一度に、取り付けたり、或いは、一度に外す場合には、大きな力を必要とする。特に、筐体内部に交換ユニットを押し込んで取り付ける場合には、人間工学的に、押し込む力は、有る程度、大きな力を出すことができても、一端、筐体内部に取り付けた交換ユニットを、筐体内部からコネクターの取り外しを含めて、引き抜くことが困難となることが多く、交換作業に大変な労力を必要とすることになるという問題点があった。
そこで、各請求項にそれぞれ記載された各発明は、上記した従来の技術の有する問題点に鑑みてなされたものであり、その目的とするところは、次の点にある。
【０００７】
（請求項１）
すなわち、請求項１記載の発明は、上記した従来の技術の有する問題点に鑑みてなされたものであり、その目的とするところは、筐体内部から交換ユニットを容易に取り外すことができて、交換ユニットの交換作業を容易なものにすることができるようにした遊技機を提供しようとするものである。
（請求項２）
すなわち、請求項２記載の発明は、上記した従来の技術の有する問題点に鑑みてなされたものであり、その目的とするところは、筐体内部から交換ユニットを容易に取り外すことができて、交換ユニットの交換作業を容易なものにすることができるようにした遊技機を提供しようとするものである。
【０００８】
（請求項３）
請求項３記載の発明は、上記した請求項１又は請求項２記載の発明の目的に加え、次の点を目的とする。
すなわち、請求項３記載の発明は、操作部を遊技者が操作する方向と、かかる操作部の操作によって圧接部が移動して突出片へ押圧する方向とを同一方向にすることができるようにした遊技機を提供しようとするものである。
（請求項４）
請求項４記載の発明は、上記した請求項１又は請求項２記載の発明の目的に加え、次の点を目的とする。
【０００９】
すなわち、請求項４記載の発明は、操作部を遊技者が操作する方向と、かかる操作部の操作によって圧接部が移動して突出片へ押圧する方向とを逆の方向にすることができるようにした遊技機を提供しようとするものである。
【課題を解決するための手段】
【００１０】
（特徴点）
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００１１】
すなわち、本発明に係る遊技機(S)は、正面側に開口する正面開口部(11)を有する筐体(1)と、前記筐体(1)の前記正面開口部(11)を開閉自在に塞ぐための前扉(3)と、前記筐体(1)の内部に交換可能に配置される交換ユニット(2)とを備えている。
そして、前記筐体(1)は、左右に立設する２枚の側板(16)と、左右の前記側板(16)の下端間に渡した底板(15)と、左右の前記側板(16)の上端間に渡した天板(17)と、２枚の前記側板(16)、前記底板(15)及び前記天板(17)による四角枠(21)状の奥側の開口を塞ぐ裏板(18)とを備えている。
そして、前記遊技機(S)の正面の前に前記遊技機(S)の方を向いて位置している遊技者から見た場合の前記遊技機(S)の奥から手前への方向を前方向とし、かかる遊技者から見た場合の前記遊技機(S)の手前から奥への方向を後方向と定義する。
【００１２】
そして、前記筐体(1)は、前記裏板(18)の前面に位置して、前記交換ユニット(2)へ電気信号を出力するため、或いは、前記交換ユニット(2)からの電気信号を入力するために前方向に臨む筐体コネクター(70)と、前記側板(16)の前記正面開口部(11)内の側面から前記筐体(1)内方に向かって突出する突出片(80)とを備えている。
そして、前記交換ユニット(2)は、前記交換ユニット(2)を前記筐体(1)内部に取り付けた状態のときに前記筐体コネクター(70)と接合するユニットコネクター(75)と、前記交換ユニット(2)を前記筐体(1)内部に取り付けた状態のときに前記突出片(80)と整合する位置に設けた脱着体(85)とを備えている。
【００１３】
そして、前記脱着体(85)は、前記脱着体(85)を前記交換ユニット(2)に回転可能に軸支する軸支部(86)と、前記軸支部(86)の回りに回転可能であって、前記脱着体(85)の回転にともなって前記突出片(80)の前側を後方向へ押圧する圧接部(87)と、前記軸支部(86)の回りに前記圧接部(87)と一体となって回転するとともに遊技者が操作可能な操作部(88)とを備えている。
そして、前記操作部(88)及び前記軸支部(86)間の距離を、前記圧接部(87)及び前記軸支部(86)間の距離よりも長く形成している。
そして、前記操作部(88)を、前記軸支部(86)の回りに回転移動させることで、前記圧接部(87)が前記突出片(80)の前側に当たり、更に前記操作部(88)を回転移動させることで、前記交換ユニット(2)を前方向へ移動させて、その結果、前記筐体コネクター(70)及び前記ユニットコネクター(75)の接続を解除することを特徴とする。
【００１４】
また、ここで、「遊技機(10)」とは、具体的には、例えば、スロットマシンであるが、交換ユニットを有するパチンコ機や、その他の遊技機を含むものである。
（作用）
本発明に係る遊技機(S)は、筐体(1)内部に交換ユニット(2)が取り付けられている状態から、交換ユニット(2)を前方向へ取り外す作業は、以下のようになる。
先ず、遊技者が操作部(88)を軸支部(86)の回りに回転移動させる。操作部(88)及び圧接部(87)は一体となって回転するため、操作部(88)の回転にともなって圧接部(87)も回転し、突出片(80)の前側に当接する。更に、遊技者が操作部(88)を回転移動させることにより、圧接部(87)が突出片(80)の前側を後方向へ向かって押圧する。突出片(80)は、筐体(1)に固定されているため、遊技者が操作部(88)を回転移動させる力は、軸支部(86)へ伝わり、軸支部(86)を前方向へ向かって押す力となる。これにより、軸支部(86)を介して、交換ユニット(2)を前方向へ向かって移動させることができる。その際、操作部(88)及び軸支部(86)間の距離を、圧接部(87)及び軸支部(86)間の距離よりも長く形成しているため、てこの原理により、遊技者が操作部(88)を回転移動させる力よりも、圧接部(87)が突出片(80)を押す力の方を大きなものにすることができる。これにより、遊技者は、操作部(88)を移動させる力よりも大きな力で、交換ユニット(2)を前方向に向かって移動させることができる。これにより、遊技者は、交換ユニット(2)を直接、手で掴んで引き出す場合よりも、小さな力で、交換ユニット(2)を前方向へ向かって引き出すことができて、筐体コネクター及びユニットコネクターの接続を解除することができる。したがって、筐体(1)内部から交換ユニット(2)を容易に取り外すことができて、交換ユニット(2)の交換作業を容易なものにすることができる。
【００１５】
（請求項２）
請求項２記載の発明は、上記した請求項１記載の発明の特徴点に加え、次の点を特徴とする。
すなわち、本発明に係る遊技機(S)は、正面側に開口する正面開口部(11)を有する筐体(1)と、前記筐体(1)の前記正面開口部(11)を開閉自在に塞ぐための前扉(3)と、前記筐体(1)の内部に交換可能に配置される交換ユニット(2)とを備えている。
そして、前記筐体(1)は、左右に立設する２枚の側板(16)と、左右の前記側板(16)の下端間に渡した底板(15)と、左右の前記側板(16)の上端間に渡した天板(17)と、２枚の前記側板(16)、前記底板(15)及び前記天板(17)による四角枠(21)状の奥側の開口を塞ぐ裏板(18)とを備えている。
【００１６】
そして、前記遊技機(S)の正面の前に前記遊技機(S)の方を向いて位置している遊技者から見た場合の前記遊技機(S)の奥から手前への方向を前方向とし、かかる遊技者から見た場合の前記遊技機(S)の手前から奥への方向を後方向と定義する。
そして、前記交換ユニット(2)は、前記交換ユニット(2)の後部に位置して、前記交換ユニット(2)への電気信号を入力するため、或いは、前記交換ユニット(2)からの電気信号を出力するために後方向に臨むユニットコネクター(75)と、前記交換ユニット(2)の側部から外方に向かって突出する突出片(80)とを備えている。
そして、前記筐体(1)は、前記裏板(18)の前面に位置して前記交換ユニット(2)を前記筐体(1)内部に取り付けた状態のときに前記ユニットコネクター(75)と接合する筐体コネクター(70)と、前記側板(16)の前記正面開口部(11)内の側面に位置するとともに前記交換ユニット(2)を前記筐体(1)内部に取り付けた状態のときに前記突出片(80)と整合する位置に設けた脱着体(85)とを備えている。
【００１７】
そして、前記脱着体(85)は、前記脱着体(85)を前記筐体(1)に回転可能に軸支する軸支部(86)と、前記軸支部(86)の回りに回転可能であって、前記脱着体(85)の回転にともなって前記突出片(80)の後側を前方向へ押圧する圧接部(87)と、前記軸支部(86)の回りに前記圧接部(87)と一体となって回転するとともに遊技者が操作可能な操作部(88)とを備えている。
そして、前記操作部(88)及び前記軸支部(86)間の距離を、前記圧接部(87)及び前記軸支部(86)間の距離よりも長く形成している。
そして、前記操作部(88)を、前記軸支部(86)の回りに回転移動させることで、前記圧接部(87)が前記突出片(80)の後側に当たり、更に前記操作部(88)を回転移動させることで、前記交換ユニット(2)を前方向へ移動させて、その結果、前記筐体コネクター(70)及び前記ユニットコネクター(75)の接続を解除することを特徴とする。
【００１８】
（作用）
本発明に係る遊技機(S)は、筐体(1)内部に交換ユニット(2)が取り付けられている状態から、交換ユニット(2)を前方向へ取り外す作業は、以下のようになる。
先ず、遊技者が操作部(88)を軸支部(86)の回りに回転移動させる。操作部(88)及び圧接部(87)は一体となって回転するため、操作部(88)の回転にともなって圧接部(87)も回転し、突出片(80)の後側に当接する。更に、遊技者が操作部(88)を回転移動させることにより、圧接部(87)が突出片(80)の後側を前方向へ向かって押圧する。突出片(80)は、交換ユニット(2)に固定されているため、遊技者が操作部(88)を回転移動させる力は、てこの原理により、圧接部(87)を介して、突出片(80)を前方向へ向かって押す力となる。これにより、交換ユニット(2)を前方向へ向かって移動させることができる。その際、操作部(88)及び軸支部(86)間の距離を、圧接部(87)及び軸支部(86)間の距離よりも長く形成しているため、てこの原理により、遊技者が操作部(88)を回転移動させる力よりも、圧接部(87)が突出片(80)を押す力の方を大きなものにすることができる。これにより、遊技者は、操作部(88)を移動させる力よりも大きな力で、交換ユニット(2)を前方向に向かって移動させることができる。これにより、遊技者は、交換ユニット(2)を直接、手で掴んで引き出す場合よりも、小さな力で、交換ユニット(2)を前方向へ向かって引き出すことができて、筐体コネクター及びユニットコネクターの接続を解除することができる。したがって、筐体(1)内部から交換ユニット(2)を容易に取り外すことができて、交換ユニット(2)の交換作業を容易なものにすることができる。
【００１９】
（請求項３）
請求項３記載の発明は、上記した請求項１又は請求項２記載の発明の特徴点に加え、次の点を特徴とする。
すなわち、前記脱着体(85)は、前記脱着体(85)の最大長さを有する方向に沿って、前記軸支部(86)、前記圧接部(87)及び前記操作部(88)の順に配置されていることを特徴とする。
本発明は、脱着体(85)の最大長さを有する方向に沿って、軸支部(86)、圧接部(87)及び操作部(41)を見た場合に、脱着体(85)の内部で、軸支部(86)、圧接部(87)、操作部(88)の順番で並んで配置されていることを意味する。
【００２０】
（作用）
本発明は、操作部(88)を遊技者が操作する方向と、かかる操作部(88)の操作によって圧接部(87)が移動して突出片(80)へ押圧する方向とを同一方向にすることができる。
すなわち、操作部(88)を後方向へ押す場合（具体的には、図９（ａ）に示すように、脱着体(85)が交換ユニット(2)に形成され、突出片(80)が筐体(1)に固定されている場合）には、圧接部(87)も後方向へ移動して、突出片(80)を後方向へ押圧する方向となるように設定することができる。
また、操作部(88)を前方向へ引っ張る場合（具体的には、図１０（ａ）に示すように、脱着体(85)が筐体(1)に形成され、突出片(80)が交換ユニット(2)に固定されている場合）には、圧接部(87)も前方向へ移動して、突出片(80)を前方向へ押圧する方向となるように設定することができる。
【００２１】
（請求項４）
請求項４記載の発明は、上記した請求項１又は請求項２に記載の発明の特徴点に加え、次の点を特徴とする。
すなわち、前記脱着体(85)は、前記脱着体の最大長さを有する方向に沿って、前記圧接部(87)、前記軸支部(86)及び前記操作部(88)の順に配置されていることを特徴とする。
本発明は、脱着体(85)の最大長さを有する方向に沿って、圧接部(87)、軸支部(86)及び操作部(41)を見た場合に、脱着体(85)の内部で、圧接部(87)、軸支部(86)、操作部(88)の順番で並んで配置されていることを意味する。
【００２２】
（作用）
本発明は、操作部(88)を遊技者が操作する方向と、かかる操作部(88)の操作によって圧接部(87)が移動して突出片(80)へ押圧する方向とを逆の方向にすることができる。
すなわち、操作部(88)を前方向へ引く場合（具体的には、図９（ｂ）に示すように、脱着体(85)が交換ユニット(2)に形成され、突出片(80)が筐体(1)に固定されている場合）には、圧接部(87)は後方向へ移動して、突出片(80)を後方向へ押圧する方向となるように設定することができる。
また、操作部(88)を後方向へ押す場合（具体的には、図１０（ｂ）に示すように、脱着体(85)が筐体(1)に形成され、突出片(80)が交換ユニット(2)に固定されている場合）には、圧接部(87)は前方向へ移動して、突出片(80)を前方向へ押圧する方向となるように設定することができる。
【発明の効果】
【００２３】
本発明は、以上のように構成されているので、以下に記載されるような効果を奏する。
（請求項１）
請求項１記載の発明によれば、次のような効果を奏する。
すなわち、請求項１記載の発明によれば、筐体内部から交換ユニットを容易に取り外すことができて、交換ユニットの交換作業を容易なものにすることができるようにした遊技機を提供することができる。
（請求項２）
請求項２記載の発明によれば、次のような効果を奏する。
【００２４】
すなわち、請求項２記載の発明によれば、筐体内部から交換ユニットを容易に取り外すことができて、交換ユニットの交換作業を容易なものにすることができるようにした遊技機を提供することができる。
（請求項３）
請求項３記載の発明によれば、上記した請求項１又は請求項２記載の発明の効果に加え、次のような効果を奏する。
すなわち、請求項３記載の発明によれば、操作部を遊技者が操作する方向と、かかる操作部の操作によって圧接部が移動して突出片へ押圧する方向とを同一方向にすることができるようにした遊技機を提供することができる。
【００２５】
（請求項４）
請求項４記載の発明によれば、上記した請求項１又は請求項２に記載の発明の効果に加え、次のような効果を奏する。
すなわち、請求項４記載の発明によれば、操作部を遊技者が操作する方向と、かかる操作部の操作によって圧接部が移動して突出片へ押圧する方向とを逆の方向にすることができるようにした遊技機を提供することができる。
【発明を実施するための最良の形態】
【００２６】
（第１の実施の形態）
（図面の説明）
図１乃至図７は、本発明の第１の実施の形態を示すものである。
図１は操作部を後方向へ押し込む前の状態の脱着体及び突出片の縦断面図、図２は操作部を後方向へ押し込んだ後の状態の脱着体及び突出片の縦断面図、図３は操作部を後方向へ押し込む前の状態の交換ユニット及び筐体の縦断面図、図４は操作部を後方向へ押し込んだ後の状態の脱着体及び突出片の縦断面図、図５は操作部を後方向へ押し込む前の状態の脱着体及び突出片の外観斜視図、図６は前扉、交換ユニット及び筐体を分解した状態の遊技機の外観斜視図、図７は前扉及び筐体を分解した状態の遊技機の外観斜視図をそれぞれ示すものである。
【００２７】
（遊技機S）
本実施の形態に係る遊技機Sは、具体的には、スロットマシンであって、図６に示すように、大きく分けて、正面側に開口する正面開口部11を有する筐体1、筐体1内部に着脱自在に設けられる交換ユニット2、筐体1の正面開口部11を開閉可能に塞ぐための前扉3とから構成されている。そして、筐体1の正面開口部11は、筐体1の上部に開口する開口上部13と、筐体1の下部に開口する開口下部14とを備えている。そして、前記前扉3は、筐体1の開口上部13を開閉可能に塞ぐための上扉30と、筐体1の開口下部14を開閉可能に塞ぐための下扉40とを備えている。そして、交換ユニット2の手前側には、上扉30が取り付けられてあり、この交換ユニット2及び上扉30により、扉一体型交換ユニット（特に図示していないが、上扉30の裏に交換ユニット2を取り付けて、両者が一体となったもの）を形成している。すなわち、通常のいわゆる新台入れ替えの際には、交換ユニット2及び上扉30が一体となった扉一体型交換ユニット毎に入れ替えることができるものである。もちろん、新台入れ替えの際、上扉30は、そのままで、交換ユニット2だけを交換することもできる。
【００２８】
なお、ここで、「前方向」とは、交換作業者（或いは遊技者）が、遊技機Sの正面側の前に遊技機Sの方を向いて位置しているような場合のかかる交換作業者（或いは遊技者）から見た場合の奥から手前への方向を意味する。したがって、前方向とは、遊技機Sの奥から正面へ向かう方向を意味する。また、「後方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２９】
（筐体1）
上記筐体1は、全体形状が略箱状であって、底面に配置した底板15と、この底板15の左右端縁から上方に向かって設けられた左右の側板16と、この側板16の上端間に渡した天板17と、左右の側板16の後側の端面間に渡して、裏側を塞ぐ裏板18とからなる正面側に開口するものである。そして、この筐体1の高さ方向略中央部には、二つの側板16の間に水平方向に中板12が渡してある。そして、この中板12は、扉一体型交換ユニットを筐体1の奥側内部に案内するためのガイド45を左右側部に備えている。また、中板12は、金属板からなるものである。そして、底板15には、各部品に電気を供給するための電源装置4と、投入された遊技メダルを貯留するとともにメダル受け43に遊技メダルを払い出し可能なホッパーユニットとも呼ばれる払い出し装置5とが固定されている。
【００３０】
ここで、電源装置4は、開口下部14の底板15の上面に取り付けられており、遊技店側が種々の設定を行うためのスイッチ等の操作部を有している。
上記電源装置4及び払い出し装置5は、交換ユニット2の交換に際し、必ずしも交換する必要のないものであり、交換時には設置されたままにしておけるようになっているものである。
また、側板16の正面左側の下部には、前記下扉40を係合させ、回転自在に支持するための本体係合部62が、上下方向に間隔をおいて二つ設けられている。
さらに、正面から向かって右側の側板16には、下扉40を閉めた際、下扉40をロックするためのロック突出片69が、上下方向に間隔をおいて二つ設けられている。
【００３１】
前記筐体1の左右の側板16の内面には、脱着体85の圧接部87に当接して交換ユニット2を手前側に押し出すための筐体1内方に向かって突出する突出片80が固定されている。
前記筐体1の裏板18の前面には、交換ユニット2の各部品へ電力や、制御信号を供給するために前方向に接続ピン71が臨むように配置された筐体コネクター70が固定されている。この筐体コネクター70は、交換ユニット2の後面に設けられたユニットコネクター75が差し込まれることにより、筐体コネクター70及びユニットコネクター75の間が電気的に接続状態となるものである。この筐体コネクター70は、交換ユニット2を筐体1の内部後方へ向かって押し込むだけで、ユニットコネクター75が筐体コネクター70に差し込まれるような位置に設定されている。
【００３２】
（ガイド45）
上記ガイド45は、図６に示すように、交換ユニット2を筐体1の奥側内部に案内するためのものである。このガイド45は、中板12の左右に位置して、前後方向に形成された２本の帯板レール状のものであって、交換ユニット2の下部に配置されたローラーが回転移動可能なものである。
（扉一体型交換ユニット）
上記扉一体型交換ユニットは、遊技ホールにおける、いわゆる新台入れ替えの際、遊技内容を変更するために筐体1に対して交換可能に形成されているものである。この扉一体型交換ユニットは、交換ユニット2と、この交換ユニット2の手前側に開閉可能に取り付けられた上扉30とから形成されているものである。この交換ユニット2及び上扉30は、両者が一体となった状態で、筐体1から取り外し、また、取り付けることができるように形成されている。なお、交換ユニット2から上扉30を取り外せば、いわゆる新台入れ替えの際、上扉30はそのまま交換せずに、交換ユニット2だけを交換することができる。このように、交換ユニット2だけの取り付けや、取り外しも可能となるように形成されている。
【００３３】
（交換ユニット2）
上記扉一体型交換ユニットの交換ユニット2は、筐体1に着脱自在に取り付けられているものである。
前記交換ユニット2は、図６に示すように、リールユニット20及び基板ユニット24を装着するための四角枠状の部材を組み合わせた枠21を備えている。すなわち、リールユニット20及び主制御装置25は、これらを装着するための枠21を介して、交換ユニット2に組み込まれているものである。交換ユニット2は、前記枠21の下部に固定されたリールユニット20と、枠21の上部奥側に固定された基板ユニット24とを備えている。
【００３４】
ここで、リールユニット20は、周囲に複数の図柄を表示した３個の回転リール23と、特に図示しないが、それぞれの回転リール23を回転させるための駆動モータを有している。また、前記基板ユニット24は、回転リール23の回転等を制御するための主制御装置25が透明樹脂からなる四角箱状の基板ケース26の内部に収納されているものである。
前記枠21の正面左側の縦枠には、前記上扉30を回転自在に係合するための枠体係合部60が、上下方向に間隔をおいて二つ設けられている。
さらに、枠21の正面右側の縦枠には、上扉30を閉めた際、上扉30をロックするためのロック突出片69が、上下方向に間隔をおいて二つ設けられている。このように、枠21の左側の枠体係合部60と、枠21の右側のロック突出片69とにより、上扉30が枠21に回動可能に固定され、両者を一体のものにすることができる。
【００３５】
前記交換ユニット2の後面には、前記筐体コネクター70の接続ピン71が差し込み可能となるように後方に向かって臨むユニットコネクター75が形成されている。このユニットコネクター75から基板ユニット24やリールユニット20へ制御信号を伝達するためのケーブルや、電力を供給するためのケーブルが接続されている。
前記交換ユニット2の枠21の正面側の左右の縦枠の外面には、交換ユニット2を前方向に向かって僅かに引き出すための脱着体85が形成されている。
（上扉30）
上記上扉30は、筐体1の開口上部13の開閉を行うための扉であって、交換ユニット2の枠21に回転自在かつロック可能に形成されている板状の扉である。そして、上扉30は、略中央部に前記回転リール23の図柄を正面側から見ることができる図柄表示窓31を有し、周囲に飾り部33が設けられ、種々の表示を行うための表示装置32が設けられているものである。
【００３６】
さらに、上扉30の左側の裏面には、前記枠体係合部60に係合可能な上扉係合部61が上下方向に間隔をおいて二つ設けられている。そして、上扉30の右側の裏面には、扉ロック機構7が設けられている。そして、上扉30の裏面上部の左右には、種々の音声を出力するためのスピーカ49が設けられている。
（下扉40）
上記下扉40は、図６及び図７に示すように、筐体1の開口下部14を開閉自在に塞ぐための、上扉30よりも幅厚の扉であり、筐体1の側板16に回転自在かつロック可能に形成されているものである。
【００３７】
前記下扉40の上部は、遊技機Sを作動させるための操作部41となっており、下扉40の上面は、閉扉時においては、上扉30よりも前側に突出するようになっている。また、下部には払い出されたメダルを溜めておくための箱状のメダル受け43が形成されており、下扉40の略中央部には、遊技内容その他の案内表示をするための前パネル50が嵌め込まれている。
前記操作部41としては、下扉40の上面右端にはメダル投入口42と、上面左側に設けられたベットスイッチと、正面側にはレバー式のスタートスイッチと、ボタン式のストップスイッチと、鍵穴44とが設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、前扉3を解錠するためのものであり、この穴に所定の鍵を差し込んで回すと、下扉40の扉ロック機構7のロックが解除されるものである。
【００３８】
さらに、下扉40の裏面側には、前記メダル投入口42から投入された遊技メダルを誘導しながら遊技メダルの正偽を判断するためのメダルセレクター48が設けられている。
また、下扉40の左側の裏面には、前記本体係合部62と係合可能な下扉係合部63が上下方向に間隔をおいて二つ設けられている。そして、下扉40の右側の裏面には、筐体1のロック突出片69にロック可能なアンカー状のものを有する扉ロック機構7が設けられている。
なお、この下扉40は、上扉30の下部の前側を、前側から覆うような状態で、ロックされる。したがって、上扉30を閉じた状態で、下扉40を閉じた場合、下扉40を開けることなく、上扉30だけを開くことはできないように形成されている。
【００３９】
（筐体コネクター70）
上記筐体コネクター70は、筐体1の正面開口部11の内部の奥に位置して、交換ユニット2へ電気信号を出力するため、或いは、交換ユニット2からの電気信号を入力するために前方向に向かって臨むものである。具体的には、この筐体コネクター70は、裏板18の前面に固定されている。そして、この筐体コネクター70は、前方向に向かって延びる金属からなる複数の接続ピン71（図６参照）を有している。そして、この接続ピン71は、交換ユニット2を後方へ押し込むことで、ユニットコネクター75の複数の接続ピン孔（図示せず）に、差し込まれるような位置に形成されている。そして、この筐体コネクター70から延びたケーブルは、電源装置4や、払い出し装置5と接続されている。筐体コネクター70及びユニットコネクター75が接続状態となることにより、主制御装置25からの制御信号が、払い出し装置5等に出力され、また、電源装置4からの電力が、リールユニット20や、主制御装置25へ供給されるものである。
【００４０】
（突出片80）
上記突出片80は、筐体1の左右の側板16の側面のうち、正面開口部11内の側面から筐体1の内方に向かって、前後方向を横切る方向に突出しているものである。具体的には、突出片80は、左右の側板16に１個ずつ、合計２個、図５に示すように、前後方向に対して、直角方向に突出しているものである。
（ユニットコネクター75）
上記ユニットコネクター75は、交換ユニット2を筐体1内部に取り付けた状態のときに前記筐体コネクター70と接合するものである。このユニットコネクター75は、交換ユニット2の後面側の枠21に固定されている。そして、このユニットコネクター75は、筐体コネクター70の接続ピン71が差し込み可能な多数の接続ピン孔が、後方向側に向かって臨むように配置されている。そして、このユニットコネクター75の取り付け位置は、交換ユニット2を筐体1内部のガイド45に沿って、後方向に押し込むと、筐体1の奥の筐体コネクター70と接続するような位置に固定されている。そして、このユニットコネクター75から交換ユニット2内部の各部品、すなわち、主制御装置25や、リールユニット20へ電気ケーブルが配線されている。したがって、遊技者は、交換ユニット2の交換作業において、ユニットコネクター75と、筐体コネクター70とを、直接、手で持って両者を差し込んで接続する作業や、或いは、両者を引き離して接続の解除作業を行う必要がない。すなわち、交換ユニット2を筐体1の正面開口部11内部へ押し込むことにより、筐体コネクター70及びユニットコネクター75の接続作業を行うことができ、また、交換ユニット2を筐体1の正面開口部11から前方向へ引き出すことにより、筐体コネクター70及びユニットコネクター75の接続解除の作業を行うことができる。
【００４１】
（脱着体85）
上記脱着体85は、交換ユニット2を筐体1内部に取り付けた状態のときに突出片80と整合する位置に形成されているものである。この脱着体85は、図６に示すように、交換ユニット2の枠21のうち、前面側の左右の縦方向の枠21に１個ずつ、合計２個、形成されている。
もちろん、脱着体85は、交換ユニット2の左右の枠21のいずれか一方側に１個だけ形成しても良いものである。
前記脱着体85は、脱着体85を交換ユニット2に回転可能に軸支する軸支部86と、軸支部86の回りに回転可能であって、脱着体85の回転にともなって突出片80の前側を後方向へ押圧する圧接部87と、軸支部86の回りに圧接部87と一体となって回転するとともに遊技者が操作可能な操作部88とを備えている。
【００４２】
前記軸支部86は、交換ユニット2の枠21から外方に向かって突出する金属からなる中心軸89の回りに回転可能に脱着体85の孔90がはめ込まれることにより形成されている。なお、脱着体85は、前記中心軸89が金属から形成されているが、それ以外は、全体が一体成形の樹脂からなるものである。
前記圧接部87は、中心軸が横方向の円筒状に形成されている。なお、この圧接部87も、一体成形された脱着体85の一部として、固定された状態で形成されているものである。しかし、特にこれに限定されることなく、かかる円筒形の圧接部87を、別途設けた圧接部87用の回転中心軸の回りに回転可能なローラ状のものとして形成することもできる。これにより、圧接部87と、突出片80との間の摩擦抵抗を抑えることができ、両者の摩耗を低減して、圧接部87が破損するようなことを抑えることができる。
【００４３】
前記操作部88は、脱着体85の長手方向の両端部のうち、軸支部86を設けていない方の端部を意味する。かかる操作部88を、交換作業者の手で後方向へ押すことにより、脱着体85全体を回転させることができ、その結果として、圧接部87により、突出片80を押すことができるものである。
そして、操作部88と、軸支部86との間の距離は、圧接部87と、軸支部86との間の距離よりも長くなるように形成されている。これにより、てこの原理により、操作部88を押す力よりも大きな力で、圧接部87が突出片80を押すことができる。
上述したような脱着体85において、操作部88を、交換作業者が手で押し込み、軸支部86の回りに回転移動させることで、圧接部87が突出片80の前側に当たる。そして、更に交換作業が手で押し続けて、操作部88を回転移動させることで、圧接部87が突出片80を押す力は、突出片80が側板16に固定されていることから、軸支部86を前方向へ移動させる力となって軸支部86へ伝達される。そして、かかる前方向の力が軸支部86へ伝達されることにより、交換ユニット2を前方向へ移動させて、その結果、筐体コネクター70及びユニットコネクター75の接続を解除するように形成されている。
【００４４】
ここで、図１又は図３の状態から、図２又は図４の状態へ、脱着体85が、前側に向かって斜め下方向から略立設するまでの所定角度（具体的には、３０〜４０度）回転移動させる。その結果、交換ユニット2が前方向へ距離Ａ（具体的には、Ａ＝１５ｍｍ）だけ移動する。一方、筐体コネクター70の接続ピン71が、ユニットコネクター75の接続ピン孔に奥深く完全に接続した状態から、両者が完全に離れて接続していない状態になるための有効な長さ、いわゆる有効差し込み長さＢ（具体的には、５ｍｍ）が設定されている。かかる場合、上述したような脱着体85の回転により、交換ユニット2が前方向へ移動する距離Ａは、筐体コネクター70及びユニットコネクター75の有効差し込み長さＢよりも大きくなるように形成されている。これにより、上述したような脱着体85の回転により、筐体コネクター70からユニットコネクター75を取り外すことができるように設定されている。
【００４５】
なお、ここで、脱着体85は、図９（ａ）に示すように、上端部に軸支部86が形成され、下端部に操作部88が形成され、その間に圧接部87が形成され、上端から下端に向かって、脱着体85の最大長さを有する方向に沿って、軸支部86、圧接部87及び操作部88の順に配置されている。かかる脱着体85の形状は、特にこれに限定されるものではなく、図９（ｂ）に示すように、脱着体85は、上端部に圧接部87を形成し、下端部に操作部88を形成し、その間に軸支部86を形成して、上端から下端に向かって、脱着体85の最大長さを有する方向に沿って、圧接部87、軸支部86及び操作部88の順に配置してもよいものである。かかる場合、交換ユニット2を前側へ移動させる際、操作部88の操作方向は、後方向ではなく、前方向となって、操作部88を手前側に引っ張るものとなる。
【００４６】
（作用）
本実施の形態に係る遊技機Sは、筐体1内部に交換ユニット2が取り付けられている状態から、交換ユニット2を前方向へ取り外す作業は、以下のようになる。
先ず、遊技者が、左右の手で、左右の操作部88を軸支部86の回りに同時に回転移動させる。操作部88及び圧接部87は一体となって回転するため、操作部88の回転にともなって圧接部87も回転し、突出片80の前側に当接する。その際、脱着体85の操作部88は、図１に示すように、斜め前下方向へ向かって突出するような状態であるため、交換作業者は、自分の体重を両手に加えて、下方に向かって押し込むことができるため、人間工学的にも、楽に大きな力を加えることができる。
【００４７】
更に、遊技者が手で操作部88を斜め下方に向かって押し込んで、脱着体85を回転移動させることにより、圧接部87が突出片80の前側を後方向へ向かって押圧する。突出片80は、筐体1に固定されているため、かかる力が加わっても移動することはなく、遊技者が操作部88を押し込んで、脱着体85を回転移動させる力は、軸支部86へ伝わり、軸支部86を前方向へ向かって押す力となる。これにより、操作部88、圧接部87、突出片80及び軸支部86を介して、交換ユニット2を前方向へ向かって移動させることができる。その際、操作部88及び軸支部86間の距離を、圧接部87及び軸支部86間の距離よりも長く形成しているため、てこの原理により、遊技者が操作部88を軸支部86を中心として回転移動させる力よりも、軸支部86を中心として圧接部87が突出片80を押す力の方を大きなものにすることができる。これにより、遊技者は、操作部88を移動させる力よりも大きな力で、交換ユニット2を前方向に向かって移動させることができる。これにより、遊技者は、交換ユニット2を直接、手で掴んで引き出す場合よりも、小さな力で、交換ユニット2を前方向へ向かって引き出すことができて、筐体コネクター及びユニットコネクターの接続を解除することができる。したがって、筐体1内部から交換ユニット2を容易に取り外すことができて、交換ユニット2の交換作業を容易なものにすることができる。
【００４８】
しかも、交換ユニット2は、ガイド45により上下方向の移動は制限されている。また、交換ユニット2は、正面開口部11の内部に、左右方向に対しても略隙間なくはめ込まれているため、交換ユニット2を前方向に移動させる場合、上下左右にぶれることなく、真っ直ぐに前方向へ移動させることができる。これにより、手で、筐体コネクター70や、ユニットコネクター75に相当するものを、引き離すような場合と比較して、筐体コネクター70及びユニットコネクター75を上下左右にぶれることなく、直線上に沿って真っ直ぐ引き離すことができ、接続ピン71及び接続ピン孔を、上下左右に曲げて損耗したり、損傷させるようなことを回避することができ、筐体コネクター70及びユニットコネクター75が損耗等を原因として接続不良となるような故障の発生を抑えることができる。
【００４９】
（第２の実施の形態）
図８は、本発明の第２の実施の形態であって、操作部を前方向へ引く前の状態の脱着体及び突出片の外観斜視図を示すものである。
第１の実施の形態では、突出片80が筐体1の左右の側板16に固定され、脱着体85が、交換ユニット2の枠21に回転可能に軸支されていたが、本実施の形態では、脱着体85及び突出片80の取り付け位置を、第１の実施の形態の逆にしたものである。すなわち、本実施の形態に係る遊技機Sは、突出片80を交換ユニット2の左右の枠21に固定し、脱着体85を筐体1の側板16の内面に回転可能に軸支しているものである。そして、本実施の形態では、圧接部87が突出片80の後側に配置されることとなって、脱着体85の操作部88を、交換作業者が、手前側に引くことにより、圧接部87が、突出片80の後側を前方向に押すことにより、突出片80が前方向に押されて、突出片80が固定されている交換ユニット2を前方向へ移動させることができるように形成されているものである。そして、脱着体85の全体形状が、操作部88を手前側に引きやすいように、棒状に形成されている。その他の構成は、第１の実施の形態と同様なものである。
【００５０】
以下に、具体的に説明する。
交換ユニット2は、交換ユニット2への電気信号を入力するため、或いは、交換ユニット2からの電気信号を出力するために後方向に臨むユニットコネクター75を、交換ユニット2の後部に設けている。
そして、交換ユニット2は、交換ユニット2の左右の側部から、それぞれ外方に向かって突出する２本の突出片80を有している。
一方、筐体1は、交換ユニット2を筐体1内部に取り付けた状態のときにユニットコネクター75と接合する筐体コネクター70を、筐体1の裏板18の前面側に設けている。
【００５１】
そして、交換ユニット2は、交換ユニット2を筐体1内部に取り付けた状態のときに突出片80と整合する位置に脱着体85を設けている。
そして、脱着体85は、脱着体85を筐体1に回転可能に軸支する軸支部86と、軸支部86の回りに回転可能であって、脱着体85の回転にともなって突出片80の後側を前方向へ押圧する圧接部87と、軸支部86の回りに圧接部87と一体となって回転するとともに遊技者が操作可能な操作部88とを備えている。
そして、操作部88及び軸支部86間の距離を、圧接部87及び軸支部86間の距離よりも長くなるように形成している。そして、脱着体85の下端の操作部88を、交換作業者が手で前方向（手前側）へ引っ張ることにより、脱着体85を軸支部86の回りに回転移動させることができる。そして、かかる脱着体85の回転により、圧接部87が突出片80の後側に当たり、更に操作部88を回転移動させることで、交換ユニット2を前方向へ移動させて、その結果、筐体コネクター70及びユニットコネクター75の接続を解除するように形成されている。
【００５２】
なお、ここで、脱着体85は、図１０（ａ）に示すように、上端部に軸支部86が形成され、下端部に操作部88が形成され、その間に圧接部87が形成され、上端から下端に向かって、脱着体85の最大長さを有する方向に沿って、軸支部86、圧接部87及び操作部88の順に配置されている。かかる脱着体85の形状は、特にこれに限定されるものではなく、図１０（ｂ）に示すように、脱着体85は、上端部に圧接部87を形成し、下端部に操作部88を形成し、その間に軸支部86を形成して、上端から下端に向かって、脱着体85の最大長さを有する方向に沿って、圧接部87、軸支部86及び操作部88の順に配置してもよいものである。かかる場合、交換ユニット2を前側へ移動させる際、操作部88の操作方向は、前方向（手前方向）ではなく、後方向（奥方向）となって、操作部88を後側（奥側）に押し込むものとなる。
【００５３】
（作用）
本実施の形態に係る遊技機Sにおいて、筐体1内部に交換ユニット2が取り付けられている状態から、交換ユニット2を前方向へ取り外す作業は、以下のようになる。
先ず、遊技者が脱着体85の下端の操作部88を手で持って、前方向に向かって引っ張って、脱着体85を軸支部86の回りに回転移動させる。そして、操作部88及び圧接部87は一体となって回転するため、操作部88の移動にともなって、脱着体85が軸支部86の回りに回転移動して、圧接部87も回転移動し、圧接部87が突出片80の後側に当接する。
更に、遊技者が操作部88を前側に引っ張って脱着体85を軸支部86の回りに回転移動させることにより、圧接部87が突出片80の後側を前方向へ向かって押圧する。突出片80は、交換ユニット2に固定されているため、遊技者が操作部88を回転移動させる力は、てこの原理により、圧接部87を介して、突出片80を前方向へ向かって押す力となる。これにより、交換ユニット2を前方向へ向かって移動させることができる。その際、操作部88と、軸支部86との間の距離は、圧接部87と、軸支部86との間の距離よりも長くなるように形成されているため、てこの原理により、遊技者が操作部88を手で引っ張って回転移動させる力よりも、圧接部87が突出片80を押す力の方を大きなものにすることができる。これにより、遊技者は、操作部88を移動させる力よりも大きな力で、交換ユニット2を前方向に向かって移動させることができる。これにより、遊技者は、交換ユニット2を直接、手で掴んで引き出す場合よりも、小さな力で、交換ユニット2を前方向へ向かって引き出すことができて、筐体コネクター及びユニットコネクターの接続を解除することができる。したがって、筐体1内部から交換ユニット2を容易に取り外すことができて、交換ユニット2の交換作業を容易なものにすることができる。
【００５４】
本実施の形態においても、交換ユニット2は、ガイド45により上下方向の移動は制限されている。また、交換ユニット2は、正面開口部11の内部に、左右方向に対しても略隙間なくはめ込まれているため、交換ユニット2を前方向に移動させる場合、上下左右にぶれることなく、真っ直ぐに前方向へ移動させることができる。これにより、手で、筐体コネクター70や、ユニットコネクター75に相当するものを、引き離すような場合と比較して、筐体コネクター70及びユニットコネクター75を上下左右にぶれることなく、直線上に沿って真っ直ぐ引き離すことができ、接続ピン71及び接続ピン孔を、上下左右に曲げて損耗したり、損傷させるようなことを回避することができ、筐体コネクター70及びユニットコネクター75が損耗等を原因として接続不良となるような故障の発生を抑えることができる。
【図面の簡単な説明】
【００５５】
【図１】本発明の第１の実施の形態であって、操作部を後方向へ押し込む前の状態の脱着体及び突出片を示す縦断面図である。
【図２】本発明の第１の実施の形態であって、操作部を後方向へ押し込んだ後の状態の脱着体及び突出片を示す縦断面図である。
【図３】本発明の第１の実施の形態であって、操作部を後方向へ押し込む前の状態の交換ユニット及び筐体を示す縦断面図である。
【図４】本発明の第１の実施の形態であって、操作部を後方向へ押し込んだ後の状態の脱着体及び突出片を示す縦断面図である。
【図５】本発明の第１の実施の形態であって、操作部を後方向へ押し込む前の状態の脱着体及び突出片を示す外観斜視図である。
【図６】本発明の第１の実施の形態であって、前扉、交換ユニット及び筐体を分解した状態の遊技機を示す外観斜視図である。
【図７】本発明の第１の実施の形態であって、前扉及び筐体を分解した状態の遊技機を示す外観斜視図である。
【図８】本発明の第２の実施の形態であって、操作部を前方向へ引く前の状態の脱着体及び突出片を示す外観斜視図である。
【図９】本発明のバリエーションであって、（ａ）は軸支部、圧接部及び操作部の順に配置された脱着体と、突出片との関係を示す概略模式図、（ｂ）は圧接部、軸支部及び操作部の順に配置された脱着体と、突出片との関係を示す概略模式図である。
【図１０】本発明のバリエーションであって、（ａ）は軸支部、圧接部及び操作部の順に配置された脱着体と、突出片との関係を示す概略模式図、（ｂ）は圧接部、軸支部及び操作部の順に配置された脱着体と、突出片との関係を示す概略模式図である。
【符号の説明】
【００５６】
S  遊技機                              1  筐体
2  交換ユニット                        3  前扉
4  電源装置                            5  払い出し装置
7  扉ロック機構                        11  正面開口部
12  中板                                13  開口上部
14  開口下部                            15  底板
16  側板                                17  天板
18  裏板                                20  リールユニット
21  枠                                  23  回転リール
24  基板ユニット                        25  主制御装置
26  基板ケース                          30  上扉
31  表示窓                              32  表示装置
33  飾り部                              40  下扉
41  操作部                              42  メダル投入口
43  メダル受け                          44  鍵穴
45  ガイド                              48  メダルセレクター
49  スピーカー                          50  前パネル
60  枠体係合部                          61  上扉係合部
62  本体係合部                          63  下扉係合部
69  ロック突出片                        70  筐体コネクター
71  接続ピン                            75  ユニットコネクター
80  突出片                              85  脱着体
86  軸支部                              87  圧接部
88  操作部                              89  中心軸
90  孔
【図１】
2005261605.tif 000003
【図２】
2005261605.tif 000004
【図３】
2005261605.tif 000005
【図４】
2005261605.tif 000006
【図５】
2005261605.tif 000007
【図６】
2005261605.tif 000008
【図７】
2005261605.tif 000009
【図８】
2005261605.tif 000010
【図９】
2005261605.tif 000011
【図１０】
2005261605.tif 000012